(57)【要約】      （修正有）【課題】時間的な制約を受けることなく、マイクロバブル水を長時間にわたって連続的に生成可能なマイクロバブル水生成システムを提供する。【解決手段】水を貯留する貯水タンク１１と、空気が溶解した空気溶解水を生成する機構を内部に備えた密閉タンク２０と、一端が貯水タンク１１に接続される取水管２１と、取水管の他端に接続されるアスピレータ３０と、アスピレータ３０に接続され、貯水タンク１１に貯留された水を取水管２１及びアスピレータ３０を介して取水し、加圧して吐出するポンプ１２と、一端がポンプ１２に接続され、他端が密閉タンク２０に接続される吐出管と、一端が密閉タンク２０に接続され、密閉タンク２０によって生成された空気溶解水を供給する供給管２３と、供給管２３の他端が接続され、空気溶解水からマイクロバブル水を生成して吐出するシャワーヘッド６とから構成される。【選択図】図２
0003226477.tif 000002
【実用新案登録請求の範囲】
【請求項１】
マイクロバブルを含んだ水を生成するシステムであって、
水を貯留する貯水タンクと、
空気が溶解した空気溶解水を生成する機構を内部に備えた密閉タンクと、
一端が前記貯水タンクに接続される取水管と、
前記取水管の他端に接続されるアスピレータと、
前記アスピレータに接続され、前記貯水タンクに貯留された水を前記取水管及びアスピレータを介して取水し、加圧して吐出するポンプと、
一端が前記ポンプに接続され、他端が前記密閉タンクに接続される吐出管と、
一端が前記密閉タンクに接続され、前記密閉タンクによって生成された空気溶解水を供給する供給管と、
前記供給管の他端が接続され、前記空気溶解水からマイクロバブル水を生成して吐出するシャワーヘッドとから構成したことを特徴とするマイクロバブル水生成システム。
【請求項２】
前記アスピレータは、一端に前記取水管が接続される入水口を有し、他端に前記入水口から流入して流通した水が流出する出水口を有する主管と、
内部空間が前記主管との間に隙間を有する通気路を形成し、且つ該通気路が前記主管の出水口に連通するように前記主管の他端側に外嵌されるとともに、前記主管の出水口から流出した水を流通させて吐出口から吐出する混気管と、
前記混気管の通気路に連通する給気路を有し、外気を、前記給気路を介して前記通気路に供給する給気管とから構成されることを特徴とする請求項１記載のマイクロバブル水生成システム。
【請求項３】
前記主管は、その外径が前記出水口に向けて縮径されるテーパ形状を有していることを特徴とする請求項１又は２記載のマイクロバブル水生成システム。
【請求項４】
前記給気管は、前記給気路内に、逆流を防止するための逆止弁を備えていることを特徴とする請求項１乃至３記載のいずれかのマイクロバブル水生成システム。
【請求項５】
前記給気管は、前記給気路内に、直径が０．２２〜０．３１ｍｍの貫通孔を有する絞り体を備えていることを特徴とする請求項１乃至４記載のいずれかのマイクロバブル水生成システム。
【請求項６】
前記混気管は、前記通気路における前記主管との間の最も狭い隙間が０．７〜１．３ｍｍに設定されていることを特徴とする請求項１乃至５記載のいずれかのマイクロバブル水生成システム。
【請求項７】
前記混気管は、前記主管の出水口から流出した水の流路が、前記主管の流路に対して９０度の角度を有していることを特徴とする請求項１乃至６記載のいずれかのマイクロバブル水生成システム。
【請求項８】
前記密閉タンクは、前記貯水タンク内に浸漬されていることを特徴とする請求項１乃至７記載のいずれかのマイクロバブル水生成システム。
【考案の詳細な説明】
【技術分野】
【０００１】
本考案は、水中に微細な気泡が含有されたマイクロバブル水を生成するマイクロバブル生成システムに関する。
【背景技術】
【０００２】
近年、水の中にマイクロバブルと呼ばれる微細な気泡を含んだマイクロバブル水が提案されている。このマイクロバブル水は水質を改善したり、生物の生理活性を促すといった効果の他、洗浄効果や殺菌効果があるとのことで、各種洗浄の分野、水質浄化、魚介類の養殖や水耕栽培といった広い分野で、その適用が試みられている。
【０００３】
このようなマイクロバブル水を生成する装置の一例として、従来、下記特許文献１に開示されるマイクロバブル発生装置が知られている。このマイクロバブル発生装置は、入浴用の浴槽においてマイクロバブルを発生させるための装置であり、内部に噴射ノズルと、この噴射ノズルに対向するように衝突板が設けられた混合容器（以下、密閉タンクと言う）を備えている。噴射ノズルには加圧された水が供給され、その噴射孔から吐出される。加圧水が噴射されると、密閉タンク内の内圧が上昇する。
【０００４】
斯くして、高圧の雰囲気下で噴射孔から水が吐出され、また、衝突板に衝突することによって、当該水に空気が溶解され、これにより空気が高濃度に溶解した空気溶解水が生成される。そして、生成された空気溶解水は供給管を介して密閉タンクから浴槽に供給され、当該浴槽内においてマイクロバブルを発生させる。
【０００５】
ところで、近年、高齢化が進み、介護の必要な高齢者が増加している。このため、高齢者が快適に生活することができ、しかも容易に介護を受けることができるように、居住設備や介護設備が充実した特別な集合住宅が提案されている。
【０００６】
その一方、上記のような特別な集合住宅は、費用の負担が高額となるため、介護設備等が用意された特別な住宅に移り住むのではなく、引き続き現在の住宅に居住しながら、介護を受けることを希望する高齢者も増えてきている。このような要望に応えるため、介護業者は個人宅に居住する要介護者に対して訪問介護を行っており、このような介護サービスの中に、入浴サービスが含まれている。そして、この入浴サービスにおいて、上述したマイクロバブル水の洗浄効果等が着目され、当該マイクロバブル水の適用が進められている。
【０００７】
従来、この訪問介護においては、介護に必要な資材を介護業者が用意するのが一般的であり、入浴サービスにおいても、入浴に必要な浴槽及びお湯等は全て介護業者が用意していた。即ち、介護業者は、例えば、図１０に示すような専用の搬送車１００の荷物積載室１０２に必要な機材を積み込んで被介護者の自宅まで出向き、この機材を用いて入浴サービスを提供していた。
【０００８】
同図１０に示すように、この搬送車１００では、その運転席１０１の後方に設定された荷物積載室１０２に、浴槽１０３及びマイクロバブル水生成システム１１０が搭載されている。浴槽１０３は介護者により被介護者の自宅内に搬送され、当該自宅内で入浴サービスに用いられる。尚、この浴槽１０３には、混合栓１０４が付設され、また、混合栓１０４にはシャワーヘッド１０５が接続されている。
【０００９】
前記マイクロバブル水生成システム１１０は、貯水タンク１１１、ポンプ１１２、密閉タンク１１３、給湯器１１４、温水ホース１１６及び冷水ホース１１７などから構成される。貯水タンク１１１は清水を貯留するタンクであり、水道から適宜供給される。また、ポンプ１１２は、前記貯水タンク１１１から取水して加圧し、加圧した清水を前記密閉タンク１１３に供給する。尚、便宜上、図１０において、貯水タンク１１１、ポンプ１１２、密閉タンク１１３、給湯器１１４、温水ホース１１６及び冷水ホース１１７に接続される配管は、その図示を省略している。
【００１０】
前記密閉タンク１１３は、空気溶解水を生成する機能を有するタンクであり、例えば、上述した混合容器と同様の構造を備えている。給湯器１１４は灯油によってお湯を沸かす機器であり、密閉タンク１１３によって生成された空気溶解水を加熱する。そして、この給湯器１１４によって加熱された空気溶解水は前記温水ホース１１６を介して、被介護者の自宅内に搬送された浴槽１０３の混合栓１０４に給水される。
【００１１】
また、密閉タンク１１３によって生成された空気溶解水は、給湯器１１４に供給される管路とは別の管路で前記冷水ホース１１７に供給され、この冷水ホース１１７を介して浴槽１０３の混合栓１０４に給水される。そして、この混合栓１０４により調整された温度の温水がシャワーヘッド１０５から吐出され、その際にマイクロバブルを含んだマイクリバブル水が生成される。そして、このようにして生成されるマイクロバブル水を用いて被介護者に入浴サービスを提供する。
【先行技術文献】
【特許文献】
【００１２】
【特許文献１】特開２００７−１９０４６６号公報
【考案の概要】
【考案が解決しようとする課題】
【００１３】
ところで、上述したように、前記密閉タンク１１３では、加圧された水が噴射ノズルから吐出され、吐出された水が衝突板に衝突するようになっており、このように噴射ノズルから加圧水を吐出させることにより、密閉タンク１１３内が大気圧よりも高圧となるため、密閉タンク１１３内の空気が、噴射ノズルから吐出される水、及び衝突板に衝突することによって飛散する水に溶解して、高濃度に溶解した空気溶解水が生成される。
【００１４】
したがって、上記の密閉タンク１１３では、当該密閉タンク１１３内の空気が溶解に消費されて無くなると、空気溶解水を生成することができない状態になる。即ち、上記従来の密閉タンク１１３には、空気溶解水を生成することができる時間に一定の制約があるという問題があった。このため、上述した入浴サービスの提供にも、時間的な制約があった。
【００１５】
被介護者の中には、長時間の入浴サービスを希望される方、或いは、比較的短時間の入浴沙ビスを希望される方など、その希望は区々であるが、上述のように、従来のマイクロバブル生成システム１１０では、密閉タンク１１３における空気溶解水の生成時間に一定の制約があるため、多様なニーズに応えることができなかった。
【００１６】
本考案は以上の実情に鑑みなされたものであって、時間的な制約を受けることなく、空気溶解水、言い換えればマイクロバブル水を長時間にわたって連続的に生成することが可能なマイクロバブル水生成システムの提供を、その目的とする。
【課題を解決するための手段】
【００１７】
上記課題を解決するための本考案は、
マイクロバブルを含んだ水を生成するシステムであって、
水を貯留する貯水タンクと、
空気が溶解した空気溶解水を生成する機構を内部に備えた密閉タンクと、
一端が前記貯水タンクに接続される取水管と、
前記取水管の他端に接続されるアスピレータと、
前記アスピレータに接続され、前記貯水タンクに貯留された水を前記取水管及びアスピレータを介して取水し、加圧して吐出するポンプと、
一端が前記ポンプに接続され、他端が前記密閉タンクに接続される吐出管と、
一端が前記密閉タンクに接続され、前記密閉タンクによって生成された空気溶解水を供給する供給管と、
前記供給管の他端が接続され、前記空気溶解水からマイクロバブル水を生成して吐出するシャワーヘッドとから構成したマイクロバブル水生成システムに係る。
【００１８】
このマイクロバブル水生成システムによれば、前記ポンプにより、前記取水管及びアスピレータを介して、前記貯水タンク内の水が取水され、当該ポンプに吸い込まれる。その際、ポンプにより吸い込まれてアスピレータ内を流通する水には、ベンチュリ効果によって吸気された外気が混ざり合わさり、これにより空気が一部溶解し、また一部混入した空気混入水が生成される。
【００１９】
斯くして、このようにして生成された空気混入水が前記ポンプに吸入され、当該ポンプによって加圧された後、吐出管を介して前記密閉タンクに供給される。前記密閉タンクは、空気が溶解した空気溶解水を生成する機構を内部に備えている。例えば、このような機構として、内部に噴射ノズルと、これに対向するように設けられた衝突板とから構成される機構を例示することができる。
【００２０】
この機構では、ポンプによって加圧された空気混入水が、噴射ノズルから吐出され、これにより、当該密閉タンク内部の圧力が高圧となる。そして、空気混入水がこのような高圧下に置かれることで、混入した空気が水中に溶解される。更に、噴射ノズルから噴射され、また、衝突板に衝突して飛散することにより、タンク内の空気が当該空気混入水に溶解する。以上の作用により、密閉タンク内で空気が高濃度に溶解した空気溶解水が生成される。
【００２１】
尚、密閉タンク内の空気が空気混入水に溶解することで、当該密閉タンク内の空気濃度が徐々に低下していき、最終的には、空気が無くなるが、密閉タンク内には、加圧された空気混入水がポンプから供給され、これにより当該密閉タンク内が高圧に維持されるので、当該密閉タンク内では、引き続き、空気混入水の中の空気が当該水中に溶解する作用が維持され、引き続き高濃度の空気溶解水が生成される。
【００２２】
斯くして、このマイクロバブル水生成システムによれば、密閉タンク内の空気が溶解に消費されて無くなったとしても、当該密閉タンクには、アスピレータを経ることによって、空気が一部溶解し、また一部混入した空気混入水が生成されるので、当該密閉タンク内において、空気が高濃度に溶解した空気溶解水を、時間的な制約を受けることなく、連続して生成することができる。
【００２３】
このようにして密閉タンク内で生成された空気溶解水は、供給管を経て適宜供給先に供給された後、シャワーヘッドから吐出され、その際にマイクロバブルを含んだマイクロバブル水が生成される。そして、このようにして生成されるマイクロバブル水を用いて被介護者に入浴サービスが提供される。
【００２４】
本考案において、前記アスピレータは、一端に前記取水管が接続される入水口を有し、他端に前記入水口から流入して流通した水が流出する出水口を有する主管と、
内部空間が前記主管との間に隙間を有する通気路を形成し、且つ該通気路が前記主管の出水口に連通するように前記主管の他端側に外嵌されるとともに、前記主管の出水口から流出した水を流通させて吐出口から吐出する混気管と、
前記混気管の通気路に連通する給気路を有し、外気を、前記給気路を介して前記通気路に供給する給気管とから構成された態様を採ることができる。
【００２５】
このアスピレータによれば、前記取水管を通して貯水タンク内の水が吸い出されると、主管の入水口から貯水タンク内の水が流入して、出水口から流出される。そして、前記出水口から出水した水は、混気管の吐出口から吐出されるが、その際、ベンチュリ効果によって、給気管に形成された給気路、並びに混気管に形成された通気路を通して外気が吸気され、当該外気（空気）が吐出口から吐出した水と混ざり合わさって、空気が一部溶解し、また一部混入した空気混入水となり、吐出口から吐出される。
【００２６】
また、前記主管は、その外径が前記出水口に向けて縮径されるテーパ形状を有しているのが好ましい。
【００２７】
また、前記給気管は、前記給気路内に、逆流を防止するための逆止弁を備えているのが好ましい。
【００２８】
更に、前記給気管は、前記給気路内に、直径が０．２２〜０．３１ｍｍの貫通孔を有する絞り体を備えているのが好ましい。このようにすることで、ベンチュリ効果をより効果的なものとすることができるため、より多くの外気を混気管の通気路に吸い込むことができ、前記空気混入水に含まれる空気量を多量にすることができる。
【００２９】
また、前記混気管は、前記通気路における前記主管との間の最も狭い隙間が０．７〜１．３ｍｍに設定されているのが好ましい。このようにすることによっても、ベンチュリ効果をより効果的なものとすることができるため、より多くの外気を混気管の通気路に吸い込むことができ、前記空気混入水に含まれる空気量を多量にすることができる。
【００３０】
また、前記混気管は、前記主管の出水口から流出した水の流路が、前記主管の流路に対して９０度の角度を有していても良い。このようにすることで取水管とポンプとの接続経路を９０°屈曲させたものとすることができる。
【００３１】
また、前記密閉タンクは、前記貯水タンク内に浸漬されていても良い。
【考案の効果】
【００３２】
以上のように、本考案に係るマイクロバブル水生成システムによれば、アスピレータ内を流通することによって、空気が一部溶解し、また一部混入した空気混入水が生成され、この空気混入水がポンプにより加圧されて密閉タンクに供給される。したがって、当該密閉タンク内の空気が溶解に消費されて無くなったとしても、当該密閉タンクには、アスピレータを経ることによって、空気が一部溶解し、また一部混入した空気混入水が供給される。このため、当該密閉タンクでは、空気が高濃度に溶解した空気溶解水を、時間的な制約を受けることなく、連続して生成することができ、この結果、マイクロバブル水を時間的な制約を受けることなく、連続して生成することができる。これにより、マイクロバブル水を用いた多様なサービスを提供することができる。
【００３３】
このようにして密閉タンク内で生成された空気溶解水は、供給管を経て適宜供給先に供給された後、シャワーヘッドから吐出され、その際にマイクロバブルを含んだマイクロバブル水が生成される。そして、このようにして生成されるマイクロバブル水を用いて被介護者に入浴サービスが提供される。
【図面の簡単な説明】
【００３４】
【図１】本考案の一実施形態に係る搬送車を示した説明図である。
【図２】本実施形態に係るマイクロバブル水生成システム等を示した説明図である。
【図３】本実施形態に係るマイクロバブル水生成システムを示した説明図である。
【図４】本実施形態に係る貯水タンク及び密閉タンクを示した平面図である。
【図５】図３における矢視Ａ−Ａ方向の断面図である。
【図６】本実施形態に係るアスピレータを示した断面図である。
【図７】本実施形態に係るボールタップの作用を説明するための説明図である。
【図８】本実施形態に係る貯水タンクの作用を説明するための説明図である。
【図９】本考案の他の実施形態に係るアスピレータを示した断面図である。
【図１０】従来の搬送車を示した説明図である。
【考案を実施するための形態】
【００３５】
以下、本考案の具体的な実施の形態について、図面を参照しながら説明する。尚、この実施形態は訪問介護によって入浴サービスを提供するために用いられる搬送車に係る。
【００３６】
図１に示すように、本例の搬送車１には、その運転席２の後方に設定された荷物積載室３に、浴槽４及びマイクロバブル水生成システム１０が搭載される。浴槽４は、介護者により被介護者の自宅内に搬送され、当該自宅内で入浴サービスに用いられるもので、この浴槽４には、混合栓５が付設され、また、この混合栓５にはシャワーヘッド６が接続されている。
【００３７】
前記マイクロバブル水生成システム１０は、貯水タンク１１、ポンプ１２、密閉タンク２０、給湯器１６、温水ホース４５及び冷水ホース４６などから構成される。前記貯水タンク１１は水道から適宜供給される清水を貯留するタンクである。図３〜図５に示すように、この貯水タンク１１は、上部が開口した直方体状をしたタンクであり、図５に示すように、上部の主タンク部１１ａと、この主タンク部１１ａの底部に、当該主タンク部１１ａと連通した状態で接続する副タンク部１１ｂとを備えている。そして、主タンク部１１ａの底面は、外寄りに設けられた１対の脚部１２，１２、中央寄りに設けられた１対の脚部１４，１４、及びこれらの中間位置に設けられた１対の脚部１３，１３によって支持され、前記副タンク部１１ｂは、前記中央寄りの脚部１４，１４間に位置している。
【００３８】
また、図１、図４及び図７に示すように、前記貯水タンク１１には、フロート弁であるボールタップ１５が取り付けられている。このボールタップ１５は、フロート作用をなすボール１５ａ、管路を開閉する弁部１５ｃ、ボール１５ａと弁部１５ｃとを連結する連結バー１５ｂ、及び貯水タンク１１の内壁に取り付けるための取付部１５ｄから構成される。
【００３９】
そして、前記弁部１５ｃに、一端が水道の蛇口に接続されたホースの他端が接続され、この弁部１５ｃから貯水タンク１１内に清水が供給される。ボール１５ａは貯水タンク１１内の水位に応じて上下動し、この上下動により前記連結バー１５ｂを介して前記弁部１５ｃが操作され、ボール１５ａが所定位置（満水位置）に上昇したとき、弁部１５ｃが閉じられ、ボール１５ａが満水位置から降下したとき、弁部１５ｃが開かれる。斯くして、貯水タンク１１内が満水になったとき、当該ボールタップ１５の作用によって、当該貯水タンク１１への清水の供給が停止される。
【００４０】
尚、本例では、図７（ａ）に示すように、前記弁部１５ｃは、鉛直線に対して、ボール１５ａ側とは反対側に角度θだけ後傾した状態で貯水タンク１１に取り付けられている。
【００４１】
図３に示すように、前記ポンプ１２は、一端が前記貯水タンク１１の副タンク１１ｂ内の中心に位置する取水管２１、及びこの取水管２１の他端に接続されるアスピレータ３０を介して前記貯水タンク１１内の清水を取水し、取水した清水を加圧する。尚、アスピレータ３０は配管１２ｃを介してポンプ１２のインポート部１２ａに接続されている。そして、ポンプ１２は加圧した清水を、一端がアウトポート部１２ｂに接続され、他端が前記密閉タンク２０に接続された吐出管２２を介して当該密閉タンク２０に供給する。
【００４２】
前記アスピレータ３０は、図６に示すように、主管３１、混気管３２及び給気管部３３から構成される。主管３１は、一方の端部に前記取水管２１が接続される入水口３１ｂを有し、他方の端部に、前記入水口３１ｂから流入し、流路３１ａ内を流通した水が流出する出水口３１ｃを有している。
【００４３】
前記混気管３２は、内部空間が前記主管３１との間に所定の隙間を有する通気路３２ａを形成し、且つこの通気路３２ａが前記主管３１の出水口３１ｃに連通するように前記主管３１の他方側の端部から外嵌されるとともに、前記主管３１の出水口３１ｃから流出した水を流通させて吐出口３２ｃから吐出する吐出流路３２ｂを有する。そして、この吐出口３２ｃが形成される部位に、前記インポート部１２ａに接続された配管１２ｃが接続される。また、前記通気路３２ａにおける前記主管３１との間の最も狭い隙間（図６におけるＢ部の隙間）は０．７〜１．３ｍｍの範囲となるように設定されている。
【００４４】
同図６に示すように、前記給気管部３３は、給気部材３４、接続部材３５、絞り板３８、逆止弁３９、連結部材４０及びカバー部材４２などから構成される。前記逆止弁３９は、前記混気管３２の通気路３２ａに連通するように当該混気管３２に穿設された流路３２ｃに、環状のシール材４１を介して螺着されている。この逆止弁３９は、流体の流路３２ｃに向けた流れ（流出）を許容する一方、流路３２ｃから内部に向けた逆流を制止する働きをする。
【００４５】
前記接続部材３５は、一方側に開口する大径の雌ねじ部３５ｂと、この雌ねじ部３５ｂに連通するとともに、他方側に開口する小径の給気路３５ａとの多段状の中空部を有する略筒状をした部材であり、その前記他方側が前記逆止弁３９に螺着されている。また、前記雌ねじ部３５ｂ内には、前記絞り板３８が環状のシール材３６、３７によって挟まれた状態で挿入されている。そして、前記雌ねじ部３５ｂには、上下両面に開口するように穿設された流路３４ａを有する給気部材３４が螺着され、前記シール材３６、絞り板３８及びシール材３７は、この給気部材３４によって押圧された状態となっている。また、前記絞り板３８には、直径が０．２２〜０．３１ｍｍの範囲内になるように設定された貫通孔３８ａが穿孔されている。
【００４６】
斯くして、前記給気部材３４の流路３４ａ、シール材３６の環内、絞り板３８の貫通孔３８ａ、シール材３７の環内及び逆止弁３９の流路によって外気に通じた給気路が形成され、この給気路により、前記混気管３２に設けられた流路３２ａを介して前記通気路３２ａに外気が供給される。
【００４７】
また、前記逆止弁３９が設けられる部位の前記混気管３２には、当該逆止弁３９に外嵌するように前記連結部材４０が固設されている。そして、この連結部材４０の外周部には雄ねじが形成されており、この雄ねじに円筒状をしたカバー部材４２が螺着され、このカバー部材４２によって、前記給気部材３４、接続部材３５及び逆止弁３９を覆われている。尚、カバー部材４２の上部には、外周面から内周面に貫通する複数の貫通孔４２ａが穿設されており、この貫通孔４２ａを介して給気部材３４の流路３４ａが外気に通じた状態になっている。
【００４８】
前記密閉タンク２０は、図１〜図５に示すように、前記貯水タンク１１内に設けられており、空気溶解水を生成する機能を備えている。この密閉タンク２０は、例えば、上述した従来の混合容器と同様の構造を備えた、即ち、内部に噴射ノズルと衝突板が設けられたものとすることができる。この密閉タンク２０では、ポンプ１２により加圧された清水が吐出管２２を介して噴射ノズルに供給され、その噴射孔から吐出される。これにより、当該密閉タンク２０内の圧力が高圧となり、空気混入水がこのような高圧下に置かれることで、混入した空気が水中に溶解される。更に、空気混入水が噴射ノズルから噴射され、また、衝突板に衝突して飛散することにより、当該密閉タンク内の空気が当該空気混入水に溶解する。以上の作用により、密閉タンク内で空気が高濃度に溶解した空気溶解水が生成される。
【００４９】
前記吐出管２２は前記密閉タンク２０の上部に接続され、また、この密閉タンク２０の上部には、空気溶解水が吐出される供給管２３が接続され、また、タンク内部を洗浄するための水を供給する給水管２４が接続されている。一方、密閉タンク２０の下部には、密閉タンク２０内の水を排水するための排水管２５が設けられている。
【００５０】
前記取水管２１、吐出管２２、供給管２３、給水管２４及び排水管２５には、それぞれその管路を開閉するための開閉コック２１ａ、２２ａ、２３ａ、２４ａ及び２５ａが設けられている。
【００５１】
前記給湯器１６は灯油によってお湯を沸かすものであり、供給管２３を通して密閉タンク２０から供給された空気溶解水を加熱する。そして、この給湯器１６によって加熱された空気溶解水は前記温水ホース４５を介して、被介護者の自宅内に搬送された浴槽４の混合栓５に給水される。また、密閉タンク２０によって生成された空気溶解水は、供給管２３から分岐する管路を通して前記冷水ホース４６に供給され、この冷水ホース４６を介して浴槽４の混合栓５に給水される。そして、この混合栓５により調整された温度の温水がシャワーヘッド６から吐出され、その際にマイクロバブルを含んだマイクリバブル水が生成される。
【００５２】
尚、前記冷水ホース４６及び温水ホース４５は貯水タンク１１の後方に設けられた各リールに巻き取られている。
【００５３】
以上の構成を備えた本例のマイクロバブル水生成システム１０を備えた搬送車１によれば、以下のようにして、被介護者に入浴サービスが提供される。尚、貯水タンク１１内には、予め、ボールタップ１５を介して、水道から満水位まで清水が貯水されているものとし、給湯器１６は温水を供給可能な状態になっているものとする。
【００５４】
まず、介護者の手作業により、浴槽４が被介護者の自宅内に搬送され、また、冷水ホース４６及び温水ホース４５がそれぞれリールから繰り出されて、浴槽４に設けられた混合栓５に接続される。
【００５５】
次に、ポンプ１２が駆動されて、取水管２１から貯水タンク１１内の清水が吸水され、吸水された清水がアスピレータ３０を介して当該ポンプ１２に流入する。その際、図６に示すように、取水管２１を通して前記貯水タンク１１からアスピレータ３０に吸い込まれた清水は、前記主管３１の入水口３１ｂから流入して流路３１ａ内を流通した後、出水口３１ｃから出水する（図６における太い実線の矢印を参照）。
【００５６】
そして、前記出水口３１ｃから出水した清水は、混気管３２の吐出流路３２ｂを経て吐出口３２ｃから吐出されるが、その際、ベンチュリ効果によって、給気管部３３に形成された給気路、並びに混気管３２に形成された流路３２ｃ及び通気路３２ａを通して外気が吸気され（図６における細い点線の矢印参照）、当該外気（空気）が吐出口３１ｃから吐出した清水と混ざり合わさって、空気が一部溶解し、また一部混入した空気混入水となり、吐出口３２ｃから吐出される（図６にける太い点線の矢印参照）。
【００５７】
斯くして、このようにして生成された空気混入水が前記ポンプ１２に吸入され、当該ポンプによって加圧された後、吐出管２２を介して前記密閉タンク２０に供給される。
【００５８】
尚、本例では、前記絞り板３８の貫通孔の直径を０．２２〜０．３１ｍｍの範囲内に設定するとともに、前記通気路３２ａの最も狭い隙間を０．７〜１．３ｍｍの範囲内になるように設定しているので、ベンチュリ効果をより効果的なものとすることができ、これにより、前記空気混入水に含まれる空気量を最大量にすることができる。
【００５９】
前記密閉タンク２０では、上述したように、加圧された空気混入水が噴射ノズルに供給され、その噴射孔から吐出された後、衝突板に衝突し、この衝突によって空気が更に溶解され、高濃度に溶解した空気溶解水が生成される。
【００６０】
そして、このようにして生成された高濃度の空気溶解水の一部が供給管２３を介して給湯器１６に供給され、この給湯器１６により加熱されて、温水ホース４５を介して前記混合栓５に供給される。一方、密閉タンク２０によって生成された空気溶解水の残りの一部は供給管２３から分岐する管路を経て、冷水ホース４６を介して前記混合栓５に供給される。そして、この混合栓５によって温度調整された空気溶解水がシャワーヘッド６から吐出される過程でマイクロバブルが生成されて、マイクロバブル水となり、このマイクロバブル水が浴槽４に貯められる。
【００６１】
斯くして、このようにして生成されるマイクロバブル水を用いて被介護者に入浴サービスが提供される。
【００６２】
そして、入浴サービスの提供を終了すると、浴槽４内の水を適宜排水し、混合栓５に接続した冷水ホース４６及び温水ホース４５を取り外した後、浴槽４を搬送車１の荷物積載室３に収納するとともに、冷水ホース４６及び温水ホース４５をそれぞれのリールに巻き取る。また、密閉タンク２０に設けられた排水管２５の開閉コック２５ａを開いて、密閉タンク２０内の水を排水する。以上により、入浴サービスに用いた機器を搬送車１内に撤収する。尚、必要に応じて、排水管２５の開閉コック２５ａを開いた状態で、給水管２４の開閉コック２４ａを開いて、この給水管２４から水道の水を密閉タンク２０内に供給することで、当該密閉タンク２０内を洗浄することができる。
【００６３】
以上のように、本例のマイクロバブル水生成システム１０によれば、アスピレータ３０を介して貯水タンク１１からポンプ１２に吸水するようにしているので、従来に比べて、より高い濃度で空気が溶解した空気溶解水を生成することができ、これにより、シャワーヘッド６から吐出される際に生成されるマイクロバブルの濃度を高濃度にすることができる。
【００６４】
また、密閉タンク２０内の空気が溶解に消費されて無くなったとしても、アスピレータ３０を経ることで、空気が一部溶解し、また一部混入した空気混入水とすることができるので、この空気混入水が前記密閉タンク２０に供給され、その噴射ノズルから噴射されることで、空気が高濃度に溶解した空気溶解水を生成することができる。したがって、密閉タンク２０内の空気の有無に関係なく、言い換えれば、時間的な制約を受けることなく、連続してマイクロバブル水を生成することができる。
【００６５】
また、前記密閉タンク２０を貯水タンク１１内に収納するようにしたので、従来に比べて、搬送車１の荷物積載室３に余裕ができるとともに、浴槽４を、収納及び取り出しに際して、より作業性が良い姿勢で収容することができる。また、他の必要な備品を整理した状態で収容することができる。
【００６６】
また、本例では、図７(ａ)に示すように、前記ボールタップ１５の弁部１５ｃを、ボール１５ａに対して後傾した状態で貯水タンク１１に取り付けているので、図７(ｂ)に示すように、弁部１５ｃを垂直に設けた従来の態様に比べて、貯水タンク１１の満水位を高い位置に設定することができ、より多くの清水を貯水タンク１１に貯めることができ、より長い時間、入浴サービスを提供することができる。尚、図７（ｂ）において一点鎖線で示した水位は、図７（ａ）における場合に満水位である。
【００６７】
また、本例では、貯水タンク１１に副タンク部１１ｂを設け、前記取水管２１の一端を副タンク部１１ｂの中心部の近傍に配置したので、貯水タンク１１の主タンク部１１ａ内の清水を全て使用することができ、主タンク部１１ａ内の清水を効率良く使用することができる。また、図８（ａ），（ｂ）に示すように、搬送車１が多少傾斜することによって、貯水タンク１１が同程度傾斜したとしても、主タンク部１１ａ内の清水を全て効率良く使用することができる。
【００６８】
以上、本考案の一実施の形態について説明したが、本考案が採り得る具体的な態様は、何らこれに限定されるものではない。
【００６９】
例えば、前記アスピレータ３０は、上述した構成のものに限られるものではなく、図９に示した構成のものであっても良い。このアスピレータ５０は、給気管部３３の逆止弁３９が螺着される流路５１ｃ、主管３１との間に形成される通気路５１ａ、及び主管３１の流路３１ａに対して９０°で交差する吐出流路５１ｂを有する混気管５１を備えている。
【００７０】
この構成のアスピレータ５０によっても、ベンチュリ効果によって、給気管部３３に形成された給気路、並びに混気管５１に形成された流路５１ｃ及び通気路５１ａを通して外気が吸気され（図９における細い点線の矢印参照）、当該外気（空気）が吐出口３１ｃから吐出した清水（図９における太い実線の矢印を参照）と混ざり合わさって、空気が一部溶解し、また一部混入した空気混入水となり、吐出口３２ｃから吐出される（図９にける太い点線の矢印参照）。
【００７１】
このように、このアスピレータ５０によっても、空気が一部溶解し、また一部混入した空気混入水を生成することができる。したがって、このアスピレータ５０を使用することにより、取水管２１とポンプ１２との接続経路を９０°屈曲させることができる。
【００７２】
また、上例では、前記アスピレータ３０、５０を取水管２１に介在するように設けたが、これに限られるものではなく、アスピレータ３０、５０をポンプ１２のインポート部１２ａに直結するようにしても良い。
【符号の説明】
【００７３】
１    搬送車
４    浴槽
５    混合栓
１０  マイクロバブル水生成システム
１１  貯水タンク
１１ａ  主タンク部
１１ｂ  副タンク部
１２  ポンプ
１５  ボールタップ
１５ａ  ボール
１５ｂ  連結バー
１５ｃ  弁部
１６  給湯器
２０  密閉タンク
２１  取水管
２２  吐出管
２３  供給管
２４  給水管
２５  排水管
３０  アスピレータ
３１  主管
３２  混気管
３３  給気管部
４５  温水ホース
４６  冷水ホース
【図１】
0003226477.tif 000003
【図２】
0003226477.tif 000004
【図３】
0003226477.tif 000005
【図４】
0003226477.tif 000006
【図５】
0003226477.tif 000007
【図６】
0003226477.tif 000008
【図７】
0003226477.tif 000009
【図８】
0003226477.tif 000010
【図９】
0003226477.tif 000011
【図１０】
0003226477.tif 000012